(57)【要約】【課題】照明ケース内に異物が入り込んでもその影が照明カバーの下面に映らず、長期に渡って良好な美観を保つことができるエレベータのかご室照明相装置を提供する。【解決手段】エレベータのかご室１内の天井部に設けられた光源１１と、この光源１１の下方に配置され、その光源１１の光をかご室１内に照射させる照光部１５を有する半透明材料からなる照明カバー１３と、この照明カバー１３の上部に前記照光部１５と離間して対向し、かつ照明カバー１３の全体を覆うように設けられた透光性を有する材料からなる覆い部材１６とを具備する。覆い部材１６の上に虫の死骸や塵などの異物ａが乗っても、覆い部材１６と照明カバー１３の照光部１５とが離間しているためその影が照明カバー１３の照光部１５には映らない。【選択図】図２
2008150187.tif 000002
【特許請求の範囲】
【請求項１】
エレベータのかご室内の天井部に設けられた光源と、
この光源の下方に配置され、その光源の光をかご室内に照射させる照光部を有する半透明材料からなる照明カバーと、
この照明カバーの上部に前記照光部と離間して対向し、かつ照明カバーの全体を覆うように設けられた透光性を有する材料からなる覆い部材と、
を具備することを特徴とするエレベータのかご室照明装置。
【請求項２】
前記照明カバーが皿型状をなし、この皿型状の照明カバーの上部の開口部に前記覆い部材が設けられ、この覆い部材により前記照明カバーの内側の空間が密閉されていることを特徴とする請求項１に記載のエレベータのかご室照明装置。
【請求項３】
前記覆い部材と前記照明カバーの照光部との間の離間距離が約４０ｍｍであることを特徴とする請求項１に記載のエレベータのかご室照明装置。
【発明の詳細な説明】
【技術分野】
【０００１】
この発明は、エレベータのかご室の天井部に設けられてかご室内を照明するかご室照明装置に関する。
【背景技術】
【０００２】
エレベータのかご室の天井部には照明ケースが取り付けられ、この照明ケース内に蛍光灯などの光源が配設されている。この照明ケースの下面には開口が形成され、この開口にアクリル樹脂などの透光性を有する半透明の合成樹脂材料で形成された照明カバーが装着されている。そして前記光源の光が前記照明カバーを通してかご室内に照射され、かご室内が所定の明るさに照明される。このような照明装置については例えば特開２００４−３３８８２５公報に開示されている。
【特許文献１】特開２００４−３３８８２５公報
【発明の開示】
【発明が解決しようとする課題】
【０００３】
ところで、かご室の天井部には換気用の機器や救出用の開閉蓋などが設置されている関係で小さな隙間があり、このためその隙間を通して照明ケース内に蚊、蝿などの虫や塵などが入り込んでその虫の死骸や塵などが異物として照明カバーの内側上面に散在してしまうことがある。このような場合、かご室内の乗客が照明カバーを下から見たとき、その異物が黒っぽい影として映り、照明カバーの美観が損なわれ、かご室内の乗客に違和感や不快感を与えてしまう。
【０００４】
一般に、照明カバーは、エレベータの定期点検時などに照明ケースから取り外されて清掃されるが、その清掃のサイクルは比較的長く、このため照明カバーの内側上面には虫の死骸や塵などの異物がそのまま放置されて散在しやすく、特に虫の飛翔が多くなる夏期などではより顕著となり、相当短いサイクルで清掃をしなければ良好な美観を保つことができない。
【０００５】
この発明はこのような点に着目してなされたもので、その目的とするところは、照明ケース内に異物が入り込んでもその影が照明カバーの下面に映らず、長期に渡って良好な美観を保つことができるエレベータのかご室照明相装置を提供することにある。
【課題を解決するための手段】
【０００６】
請求項１の発明は、エレベータのかご室内の天井部に設けられた光源と、この光源の下方に配置され、その光源の光をかご室内に照射させる照光部を有する半透明材料からなる照明カバーと、この照明カバーの上部に前記照光部と離間して対向し、かつ照明カバーの全体を覆うように設けられた透光性を有する材料からなる覆い部材とを具備することを特徴としている。
【０００７】
請求項２の発明は、前記照明カバーが皿型状をなし、この皿型状の照明カバーの上部の開口部に前記覆い部材が設けられ、この覆い部材により前記照明カバーの内側の空間が密閉されていることを特徴としている。
【０００８】
請求項３の発明は、前記覆い部材と前記照明カバーの照光部との間の離間距離が約４０ｍｍであることを特徴としている。
【発明の効果】
【０００９】
この発明によれば、照明ケース内に異物が入り込んでもその影が照明カバーの下面に映らず、長期に渡って良好な美観を保つことができる。
【発明を実施するための最良の形態】
【００１０】
以下、この発明の一実施形態について図面を参照して説明する。
【００１１】
図１にはエレベータのかご室１の内部の外観を示してある。かご室１の天井部には照明装置２が設けられ、またかご室１の前面には出入口３が設けられ、この出入口３にその開閉用のドア装置４が設けられている。また、出入口３の脇の壁面には、ドア開閉ボタンや行先階登録ボタンなどを備える操作盤５が取り付けられている。
【００１２】
図２にはかご室１の天井部に設けられた照明装置２の構造を示してある。照明装置２は、かご室１の天井部に据え付けられた例えば金属製の照明ケース１０を有し、この照明ケース１０内に蛍光灯などの複数の光源１１が配設されている。照明ケース１０の下面には開口１２が形成され、この開口１２に前記光源１１と対向するように照明カバー１３が装着されている。
【００１３】
照明カバー１３は、例えばアクリル樹脂などの半透明の合成樹脂材料からなり、平面が四角形の薄皿型状に形成されている。この照明カバー１３の上端の周縁にはその外側に水平に延出するフランジ１４が一体に形成され、このフランジ１４が照明ケース１０の開口１２の縁部上側に掛け合わされることで照明カバー１３の全体が水平に支持されている。
【００１４】
照明カバー１３の底面（下面）は光源１１と対向する照光部１５となっている。そして照明カバー１３の上部には覆い部材１６が取り付けられている。この覆い部材１６はアクリル樹脂などの透光性を有する合成樹脂材料からなり、照明カバー１３の平面形状とほぼ同じ大きさの平板状に形成され、前記フランジ１４の上に重なって照明カバー１３の上面の全体を覆うように設けられている。覆い部材１６は前記フランジ１４に接着剤を介して接合され、この覆い部材１６により照明カバー１３の内側の空間が隙間なく密閉されている。照明カバー１３の照光部１５と覆い部材１６との間の間隔は例えば４０ｍｍ程度となっている。
【００１５】
このような照明装置２において、照明ケース１０内に虫や塵などが入り込んだときには、図２に示すようにその虫の死骸や塵が異物ａとして覆い部材１６の上に乗る。光源１１の光は覆い部材１６を透過し、さらにその覆い部材１６の下方側の照明カバー１３の照光部１５を通してかご室１内に拡散照射され、この光でかご室１内が所定の明るさに照明される。
【００１６】
この際、覆い部材１６の上に異物ａがあると、その異物ａの影が覆い部材１６に映る。しかしながら、かご室１内に面する照明カバー１３の照光部１５はその覆い部材１６と離間しており、このため覆い部材１６に異物ａの影が映っても、照明カバー１３の照光部１５においてはその異物ａの影がぼやけ、映ることがなく、照光部１５の全域がむらなく均一な明るさに保たれる。したがって、かご室１内の乗客が照明カバー１３を見ても違和感や不快感がなく、良好な美観を長期に渡って保つことができる。
【００１７】
照明カバー１３の内側の空間は覆い部材１６により密閉されており、このため覆い部材１６の上の異物ａが振動や風圧などで移動しても、その異物ａが照明カバー１３の内側に入り込むようなことがない。
【００１８】
なお、覆い部材１６としては、透光性を有する材料であれば、透明の材料であっても半透明の材料であってもよく、また異物の透過を防止できれば、例えば細かなメッシュ状構造のものであってもよい。
【図面の簡単な説明】
【００１９】
【図１】この発明の一実施形態に係るかご室照明装置を示す外観図。
【図２】そのかご室照明装置の構造を示す断面図。
【符号の説明】
【００２０】
１…かご室
２…照明装置
３…出入口
４…ドア装置
５…操作盤
１０…照明ケース
１１…光源
１２…開口
１３…照明カバー
１４…フランジ
１５…照光部
１６…覆い部材
【図１】
2008150187.tif 000003
【図２】
2008150187.tif 000004